(57)【要約】【課題】  便座へのセット並びに廃棄のための処理が容易に行える非常用トイレバッグと、携帯性及び収納性に優れ、組み立てが容易で且つ適切な強度を有する簡易便座台とを安価に提供する。【解決手段】  非常用トイレバッグは、吸水性シートを含むシートで形成した袋と、前記袋の開口部を拡げた際に該開口部縁辺が略３等分できるように形成した３箇所の凹欠部と、前記凹欠部により形成される３枚の鍔部と、前記鍔部それぞれの開口部縁辺近傍の中央部に形成した吊設用穴部と、前記袋を巻回して封止できるように形成した封止用シール部と、で構成し、簡易便座台は、略正三角筒状の台座部と、前記台座部の上底面の三角形各辺から延出させ、前記上底面と同一平面上に固定されるように形成した３枚の便座部と、前記非常用トイレバッグに形成した吊設用穴部を掛架して前記非常用トイレバッグを懸吊するように前記便座部それぞれに形成した懸吊用突起部と、で構成する。【選択図】  図１
2006158891.tif 000002
【特許請求の範囲】
【請求項１】
吸水性シートを含むシートで形成した袋と、
前記袋の開口部を拡げた際に該開口部縁辺が略３等分できるように形成した３箇所の凹欠部と、
前記凹欠部により形成される３枚の鍔部と、
前記鍔部それぞれの開口部縁辺近傍の中央部に形成した吊設用穴部と、
前記袋を巻回して封止できるように形成した封止用シール部と、
で構成されることを特徴とする非常用トイレバッグ。
【請求項２】
前記袋が折り畳まれた状態では、前記鍔部のうち２枚が互いに重なり合うように前記袋が形成されることを特徴とする請求項１記載の非常用トイレバッグ。
【請求項３】
略正三角筒状の台座部と、
前記台座部の上底面の三角形各辺から延出させ、前記上底面と同一平面上に固定されるように形成した３枚の便座部と、
前記非常用トイレバッグに形成した吊設用穴部を掛架して前記非常用トイレバッグを懸吊するように前記便座部それぞれに形成した懸吊用突起部と、で構成されることを特徴とする請求項１又は２記載の非常用トイレバッグに用いる簡易便座台。
【請求項４】
前記台座部は、パイプ材またはボード材を用いて折り畳み可能に形成されることを特徴とする請求項３記載の簡易便座台。
【請求項５】
前記台座部並びに前記便座部は、１枚の前記ボード材で組立可能に形成されることを特徴とする請求項４記載の簡易便座台。、
【請求項６】
前記ボード材は紙製であることを特徴とする請求項４又は５記載の簡易便座台。
【請求項７】
略楕円形の便座部と、
前記非常用トイレバッグに形成した吊設用穴部を掛架して前記非常用トイレバッグを懸吊するように前記便座部に形成した懸吊用突起部と、
前記便座部を支持し、折り畳み可能に形成された脚部と、で構成されることを特徴とする請求項１又は２記載の非常用トイレバッグに用いる簡易便座台。
【請求項８】
略楕円形の便座部と、
前記便座部に開閉可能に付設され、前記非常用トイレバッグの前記鍔部を折り曲げた部分で前記非常用トイレバッグを懸吊し、前記便座部の内周面との間で前記非常用トイレバッグを挟持するように形成した懸吊用リングと、
前記便座部を支持し、折り畳み可能に形成された脚部と、で構成されることを特徴とする請求項１又は２記載の非常用トイレバッグに用いる簡易便座台。
【発明の詳細な説明】
【技術分野】
【０００１】  本発明は、災害や断水などの非常時に簡易トイレとして使用可能な非常用トイレバッグ及びそれに用いる簡易便座台に関する。
【背景技術】
【０００２】  従来、野外や災害時など水が使用できない環境でも利用できる簡易トイレや組立式の携帯便器等が各種提案されている（例えば、特許文献１参照）。【０００３】  例えば、特許文献１に開示された組立式携帯便器は、便器本体と排尿受部材を分離し、排尿受部材を使い捨ての構造体で構成している。【０００４】  しかしながら、上記の組立式携帯便器の場合、特に、排尿受部材の形状が複雑であるため製造コストが高いという課題や、使用後の廃棄処理が煩雑であるという課題があった。また、便器本体についても、高さ調整が可能な便器や椅子式の便器では携帯性や収納性に劣るという課題があった。【０００５】  水道や電気に代表されるライフラインの復旧に長期間を要するような大規模災害時においては、トイレの代用となるこれらの部材を大量に供給する必要があり、従って、製造コストの安価な部材を提供することは大変重要である。また、排尿受部材のみならず、便器本体も含めた簡易トイレとして、収納性や携帯性に優れることが好ましい。
【特許文献１】特開２００１−２５２２１８号公報（第３−５頁、第１図）
【発明の開示】
【発明が解決しようとする課題】
【０００６】  そこで本発明は上記従来の課題に鑑みてなされたものであり、製造コストが安価で、便座へのセット並びに廃棄のための処理が容易に行える非常用トイレバッグと、同様に製造コストが安価で、携帯性及び収納性に優れ、組み立てが容易で且つ適切な強度を有する簡易便座台とを提供することを目的とする。
【課題を解決するための手段】
【０００７】  上記課題を解決するため、本発明の非常用トイレバッグは、吸水性シートを含むシートで形成した袋と、前記袋の開口部を拡げた際に該開口部縁辺が略３等分できるように形成した３箇所の凹欠部と、前記凹欠部により形成される３枚の鍔部と、前記鍔部それぞれの開口部縁辺近傍の中央部に形成した吊設用穴部と、前記袋を巻回して封止できるように形成した封止用シール部と、で構成されることを特徴とする。
上記構成によれば、折り畳んだ状態のバッグの形状が略矩形で単純であるため、製造工程数並びに材料ロスが少なく、安価に非常用トイレバッグを製造することができる。また、３箇所でバッグを吊り下げ、また使用後に巻き取って丸めたバッグをシールで封止する構成であるため、便座へのセット並びに廃棄のための処理が容易に行え、代替のトイレとして適切に汚物等の回収が行える。【０００８】  また、本発明の非常用トイレバッグは、請求項１記載の非常用トイレバッグであって、前記袋が折り畳まれた状態では、前記鍔部のうち２枚が互いに重なり合うように前記袋が形成されることを特徴とする。
上記構成によれば、バッグ開口部のカット形状が単純で製造しやすいため、安価に非常用トイレバッグを製造することができる。【０００９】  また、本発明の簡易便座台は、請求項１又は２記載の非常用トイレバッグに用いる簡易便座台であって、略正三角筒状の台座部と、前記台座部の上底面の三角形各辺から延出させ、前記上底面と同一平面上に固定されるように形成した３枚の便座部と、前記非常用トイレバッグに形成した吊設用穴部を掛架して前記非常用トイレバッグを懸吊するように前記便座部それぞれに形成した懸吊用突起部と、で構成されることを特徴とする。
上記構成によれば、便座台の形状が単純であるため、製造コストを低減することができる。また、三角筒は形状的に安定であるため、適切な強度を付与することができる。【００１０】  また、本発明の簡易便座台は、請求項３記載の簡易便座台であって、前記台座部は、パイプ材またはボード材を用いて折り畳み可能に形成されることを特徴とする。
上記構成によれば、三角筒を折り畳むことができるため、携帯性や収納性に優れた便座座とすることができる。【００１１】  また、本発明の簡易便座台は、請求項４記載の簡易便座台であって、前記台座部並びに前記便座部は、１枚の前記ボード材で組立可能に形成されることを特徴とする。
上記構成によれば、１枚の板材で全体の構成を作製できるため、携帯性や収納性に優れた便座台とすることができる。【００１２】  また、本発明の簡易便座台は、請求項４又は５記載の簡易便座台であって、前記ボード材は紙製であることを特徴とする。
上記構成によれば、軽量なダンボール等で全体の構成を作製できるため、携帯性や収納性に優れた便座台とすることができる。【００１３】  また、本発明の簡易便座台は、請求項１又は２記載の非常用トイレバッグに用いる簡易便座台であって、略楕円形の便座部と、前記非常用トイレバッグに形成した吊設用穴部を掛架して前記非常用トイレバッグを懸吊するように前記便座部に形成した懸吊用突起部と、前記便座部を支持し、折り畳み可能に形成された脚部と、で構成されることを特徴とする。
上記構成によれば、便座台の形状が単純であるため、製造コストを低減することができる。また、収納可能な脚部で台座を構成するため、携帯性や収納性に優れ、組み立てが容易で且つ適切な強度を付与することができる。【００１４】  また、本発明の簡易便座台は、請求項１又は２記載の非常用トイレバッグに用いる簡易便座台であって、略楕円形の便座部と、前記便座部に開閉可能に付設され、前記非常用トイレバッグの前記鍔部を折り曲げた部分で前記非常用トイレバッグを懸吊し、前記便座部の内周面との間で前記非常用トイレバッグを挟持するように形成した懸吊用リングと、前記便座部を支持し、折り畳み可能に形成された脚部と、で構成されることを特徴とする。
上記構成によれば、便座台の形状が単純であるため、製造コストを低減することができる。また、収納可能な脚部で台座を構成するため、携帯性や収納性に優れ、組み立てが容易で且つ適切な強度を付与することができる。
【発明の効果】
【００１５】  本発明の非常用トイレバッグは、製造コストを低減することができる。また、便座へのセット並びに廃棄のための処理が容易に行え、代替のトイレとして適切に汚物等の回収が行える。【００１６】  また、本発明の簡易便座台は、製造コストを低減することができる。また、携帯性や収納性に優れ、組み立てが容易で且つ適切な強度を付与することができる。
【発明を実施するための最良の形態】
【００１７】  以下、本発明の実施の形態における非常用トイレバッグ及び簡易便座台について、図面を用いて詳細に説明する。尚、実施の形態を説明するための全図において、同一機能を有するものは同一符号を付与し、説明は繰り返さないこととする。【００１８】  はじめに、非常用トイレバッグについて説明する。【００１９】  （実施の形態１）図１は、本発明の実施の形態１における非常用トイレバッグの外観を示す図である。図１（ａ）に示すように、非常用トイレバッグ１００は、袋１０、凹欠部２０、鍔部２１、吊設用穴部３０、封止用シール部４０で構成される。【００２０】  袋１０は、図１（ｂ）に示すように、外側と内側の２層のシートで構成され、外側シート１１は、ビニール等の非透水性樹脂または紙などに非透水性加工を施したシートなどで形成される。また、内側シート１２は、ポリアクリル酸ソーダなどの高吸水性樹脂を含むシートで構成される。尚、両方のシートは予め接着されていてもかまわない。また、内側シート１２には、消臭効果を有する素材等を含有させてもかまわない。【００２１】  凹欠部２０は、袋１０の上部開口部に形成した切り欠き部分で、この凹欠部２０により、袋１０の上部には、３枚の鍔部２１が形成される。鍔部２１は、凹欠部２０により形成される鍔であり、外側に折り曲げて吊設することにより、後述する簡易便座台の便座部を覆う鍔となる。吊設用穴部３０は、後述する簡易便座台の便座部にこの非常用トイレバッグを吊設するため、鍔部２１の開口部縁辺近傍の中央部に形成される穴部である。【００２２】  尚、上記の３枚の鍔部２１はそれぞれ等しい幅であるため、外側へ折り曲げると、図１（ｃ）に示すように、袋１０の開口部が略正三角形となる。３枚の鍔部２１を同じ幅にするため、袋を折り畳んだ状態で、袋の両端から２：１の比率となる位置（図中Ａで示す位置）と、幅の広い側の端部（図中Ｂで示す位置）に凹欠部２０が形成される。同様に、吊設用穴部３０は、袋の両端から１：２の比率となる位置（図中Ｃで示す位置）と、幅の広い側の端部（図中Ｄで示す位置）に形成される。このように開口部のカット形状が単純であるため１回の切断で製造でき、また袋の底部も熱溶着などで製造すれば、製造工程数が少なく、安価なコストで非常用トイレバッグを製造することができる。【００２３】  封止用シール部４０は、両面テープで形成され、片方の面は袋の上部に既に接着されている。汚物等の回収が終了した時点で非常用トイレバッグ１００を後述する簡易便座台から外し、袋１０の下端から丸く巻いて最後にこの両面テープ（封止用シール部４０）の未接着面を露出して接着すれば、図１（ｄ）に示すようにコンパクトにした状態で廃棄することができる。【００２４】  以上、実施の形態１の非常用トイレバッグは、形状が単純で製造しやすいため、安価に製造できる。また、便座へのセット並びに廃棄のための処理が容易に行える。【００２５】  次に、簡易便座台について説明する。【００２６】  図２は、本発明の実施の形態１における簡易便座台の組み立て後の外観を示す図である。図では、非常用トイレバッグ１００を懸吊した様子を示している。図に示すように、簡易便座台２００は、ダンボールなど、１枚のシー���材料を折り曲げて形成された、台座部５０、便座部６０、などで構成される。各部の詳細な構成については次の図３を用いて説明する。【００２７】  図３は、本発明の実施の形態１における簡易便座台の組み立て前の展開図である。ダンボールをカットして形成する簡易便座台２００は、台座部５０、便座部６０、懸吊用突起部７０などを含み、各部を折り曲げて略正三角筒状に組み立てる。その際、台座組立用爪部５０ａを、台座組立用穴部５０ｂに挿入すると三角筒を形成できる。また、便座固定用部材５０ｃを、三角筒の内側になるように折り曲げて、その先端を部材先端挿入穴５０ｅに挿入すると水平な便座部６０を形成できる。ダンボールを折り曲げて便座部６０を形成すると、懸吊用突起部７０が三角筒の外側に突出する。尚、便座部６０には、強度を向上させるため、補強用のダンボールを接着しておくことが好ましい。同様に、台座補強用部材５０ｄを、三角筒の内側になるように折り曲げて、その先端を部材先端挿入穴５０ｅに挿入すると台座部５０が補強される。【００２８】  図４は、簡易便座台の組み立て時における懸吊用突起部７０と部材先端挿入穴５０ｅの処理について説明するための図である。図４（ａ）に示すように、組み立てを行うと、懸吊用突起部７０が三角筒状の台座の外側に向かって突出する。また、部材先端挿入穴５０ｅからは、便座固定用部材５０ｃと台座補強用部材５０ｄの先端が突出する。この突出部分の保護と抜け防止のため、本実施の形態では、固定クリップ８０を用いる。【００２９】  図５は、固定クリップ８０の構造を説明するための図である。図５（ａ）の斜視図及び図５（ｂ）の上面図と断面図に示すように、固定クリップ８０は、固定クリップ爪部８０ａと固定クリップ穴部８０ｂがあり、ヒンジ構成になっているクリップ本体を重ねると爪部が穴部に嵌入してクリップが閉じて固定される構造となっている。図３の展開図から判るように、懸吊用突起部７０の先端、及び便座固定用部材５０ｃと台座補強用部材５０ｄの先端には固定クリップ爪部８０ａが貫通する程度の大きさの穴が形成されている。従って、この穴に固定クリップ爪部８０ａを挿入して部材を挟んでから固定クリップ８０を閉じる。図４（ｂ）は、組み立てた簡易便座台の懸吊用突起部７０の先端と、部材先端挿入穴５０ｅから突出した便座固定用部材５０ｃと台座補強用部材５０ｄの先端に、固定用クリップ８０を装着した際のＡ−Ａ′断面の様子を示す図である。クリップで固定すると、便座固定用部材５０ｃや台座補強用部材５０ｄの先端がその後抜けることがない。また、懸吊用突起部７０の先端が保護される。【００３０】  以上、実施の形態１の簡易便座台は、１枚のダンボールを折り曲げて組み立てる構造であるため、安価に製造でき、また、軽量で場所をとらず、携帯性や収納性にも優れる。また、略正三角筒状の安定な構造により適切な強度が付与される。【００３１】  尚、上記では、簡易便座台２００をダンボールで形成した場合について説明したが、ポリプロピレンなど、ヒンジ特性に優れるプラスチック系材料などを使用してもかまわない。また、固定用クリップ８０の材質としては、ポリプロピレンなど、ヒンジ特性に優れるプラスチック系材料などが好ましいが、簡易便座台２００を形成するために用いるダンボール材等を活用してもかまわない。【００３２】  （実施の形態２）  次に、別の形態の簡易便座台について説明する。尚、簡易便座台に懸吊する非常用トイレバッグは実施の形態１のそれを使用するため、説明を省略する。図６は、本発明の実施の形態２における簡易便座台の外観を示す図である。図に示すように、簡易便座台３００は、金属または樹脂等で方形に成型された３組の台座パイプ５１、三角筒状の台座部を形成するためのに個々の台座パイプ５１を連結するパイプ連結部材９０及びパイプキャッチ部材９１、金属、樹脂、木材等で形成される便座部６１、便座部に形成された懸吊用突起部７１、などで構成される。【００３３】  図に示すように、パイプキャッチ部材９１は片方が着脱可能であるので、片方の台座パイプ５１を脱着し、パイプ連結部材９０の部分で台座パイプを折り曲げると、収納時、簡易便座台３００は、便座部６１の幅程度の厚みに小型化することができる。【００３４】  図７は、本発明の実施の形態２における簡易便座台の組み立て後の外観を示す図である。図では、非常用トイレバッグ１００を懸吊した様子を示している。【００３５】  以上、実施の形態２の簡易便座台は、台座部をパイプで形成し、折り畳み可能な構造であるため、軽量で場所をとらず、携帯性や収納性にも優れる。また、略正三角筒状の安定な構造により適切な強度が付与される。【００３６】  （実施の形態３）  次に、更に別の形態の簡易便座台について説明する。尚、簡易便座台に懸吊する非常用トイレバッグは実施の形態１のそれを使用するため、説明を省略する。図８は、本発明の実施の形態３における簡易便座台の外観を示す図である。図に示すように、簡易便座台４００は、金属または樹脂等で折り畳み可能に形成された一式の台座パイプ５２、樹脂、木材等で形成された便座部６２、便座部に形成された懸吊用突起部７２、などで構成される。【００３７】  図９は、本発明の実施の形態３における簡易便座台の収納時及び組み立て時の様子を説明するための図である。便座部６２の裏面には、台座パイプ５２を便座部６２に回動可能に固定する２組の便座パイプ固定部材６２ａと、もう一方の台座パイプ５２を着脱可能に固定する便座パイプキャッチ部材６２ｂが装着されている。図に示すように、収納時は台座パイプ５２を折り畳み、使用時に一方の台座パイプ５２を便座パイプキャッチ部材６２ｂに固定する。従って、収納時、簡易便座台４００は、台座パイプ５２の直径と便座部６２の合計の厚み程度に小型化することができる。【００３８】  以上、実施の形態３の簡易便座台は、台座部をパイプで形成し、折り畳み可能な構造であるため、軽量で場所をとらず、携帯性や収納性にも優れる。また、パイプは金属または樹脂製であるため適切な強度が付与される。【００３９】  （実施の形態４）  次に、更に別の形態の簡易便座台について説明する。尚、簡易便座台に懸吊する非常用トイレバッグは実施の形態１のそれを使用するため、説明を省略する。図１０は、本発明の実施の形態４における簡易便座台の外観を示す図である。図に示すように、簡易便座台５００は、金属または樹脂等で折り畳み可能に形成された３本の台座パイプ��３、樹脂、木材等で形成された便座部６３、便座部６３の内周と略同径で、閉じると便座部６３の内周部に嵌入可能な懸吊用リング７３、などで構成される。【００４０】  図に示すように、上部の鍔部２１を裏返すように折り曲げた非常用トイレバッグ１００の折り曲げた部分を、上方に開いた懸吊用リング７３に懸けて非常用トイレバッグ１００をセットする。懸吊用リング７３を下方へ閉じると、便座部６３の内周側に懸吊用リング７３が嵌入されるため、折り曲げた非常用トイレバッグ１００の鍔部２１が挟み込まれ、固定される。実施の形態３の簡易便座台と構成は異なるが、台座パイプ５３は同様に折り畳み可能であるため、収納時、簡易便座台５００は、台座パイプ５３と便座部６３の合計の厚み程度に小型化することができる。【００４１】  以上、実施の形態４の簡易便座台は、台座部をパイプで形成し、折り畳み可能な構造であるため、軽量で場所をとらず、携帯性や収納性に優れる。また、パイプは金属または樹脂製であるため適切な強度が付与される。【００４２】  尚、既存の便器の便座に、上述の懸吊用突起部と同様の機能を有する突起部を予め形成しておけば、断水時などの非常時に上記の非常用トイレバッグを懸吊して使用することができる。つまり、非常用トイレバッグだけを使用して簡易トイレを実現することもできる。
【産業上の利用可能性】
【００４３】  本発明にかかわる非常用トイレバッグ並びに簡易便座台は、製造コストが安価で、便座へのセット並びに廃棄のための処理が容易に行え、また、携帯性及び収納性に優れ、組み立てが容易で且つ適切な強度を有するという効果を有し、非常時などにおける簡易トイレの供給において有用である。
【図面の簡単な説明】
【００４４】
【図１】  本発明の実施の形態における非常用トイレバッグの外観を示す図
【図２】  本発明の実施の形態における簡易便座台の組み立て後の外観を示す図
【図３】  本発明の実施の形態１における簡易便座台の組み立て前の展開図
【図４】  簡易便座台の組み立て時における懸吊用突起部と部材先端挿入穴の処理について説明するための図
【図５】  固定クリップの構造を説明するための図
【図６】  本発明の実施の形態２における簡易便座台の外観を示す図
【図７】  本発明の実施の形態２における簡易便座台の組み立て後の外観を示す図
【図８】  本発明の実施の形態３における簡易便座台の外観を示す図
【図９】  本発明の実施の形態３における簡易便座台の収納時及び組み立て時の様子を説明するための図
【図１０】  本発明の実施の形態４における簡易便座台の外観を示す図
【符号の説明】
【００４５】  １０  袋
１１  外側シート
１２  内側シート
２０  凹欠部
２１  鍔部
３０  吊設用穴部
４０  封止用シール部
５０  台座部
５０ａ  台座組立用爪部
５０ｂ  台座組立用穴部
５０ｃ  便座固定用部材
５０ｄ  台座補強用部材
５０ｅ  部材先端挿入穴
５１、５２、５３  台座パイプ
６０、６１、６２、６３  便座部
６２ａ  便座パイプ固定部材
６２ｂ  便座パイプキャッチ部材
７０、７１、７２  懸吊用突起部
７３  懸吊用リング
８０  固定クリップ
８０ａ  固定クリップ爪部
８０ｂ  固定クリップ穴部
９０  パイプ連結部材
９１  パイプキャッチ部材
１００  非常用トイレバッグ
２００、３００、４００、５００  簡易便座台
【図１】
2006158891.tif 000003
【図２】
2006158891.tif 000004
【図３】
2006158891.tif 000005
【図４】
2006158891.tif 000006
【図５】
2006158891.tif 000007
【図６】
2006158891.tif 000008
【図７】
2006158891.tif 000009
【図８】
2006158891.tif 000010
【図９】
2006158891.tif 000011
【図１０】
2006158891.tif 000012